(57)【要約】【課題】肌に対して異なる種類の刺激を付与することができ、より美肌効果を高める。【解決手段】美容器具１０は、第一の刺激を肌Ｓに付与する第一刺激付与部５０と、ＲＦを起因とした刺激であって、第一の刺激とは種類の異なる第二の刺激を肌Ｓに付与する第二刺激付与部６０と、第一刺激付与部５０の近傍に第二刺激付与部６０が配置されるように、第一刺激付与部５０と第二刺激付与部６０とを保持するハウジングとを備えている。【選択図】図４
2019000212.tif 000002
【特許請求の範囲】
【請求項１】
第一の刺激を肌に付与する第一刺激付与部と、
ＲＦを起因とした刺激であって、前記第一の刺激とは種類の異なる第二の刺激を前記肌に付与する第二刺激付与部と、
前記第一刺激付与部の近傍に前記第二刺激付与部が配置されるように、前記第一刺激付与部と前記第二刺激付与部とを保持するハウジングとを備える
美容器具。
【請求項２】
前記第二刺激付与部は、一対のＲＦ電極を含む
請求項１に記載の美容器具。
【請求項３】
前記第二刺激付与部は、一対のＲＦ電極のうち一方のＲＦ電極を含み、
前記第一刺激付与部は、前記一対のＲＦ電極のうち他方のＲＦ電極を兼ねる
請求項１に記載の美容器具。
【請求項４】
前記一対のＲＦ電極の少なくとも一方は、表面に酸化皮膜を有する金属体であり、
前記一対のＲＦ電極は、０．３ＭＨｚ以上の周波数帯の電圧が供給される
請求項２または３に記載の美容器具。
【請求項５】
前記ハウジングは、前記第一刺激付与部と前記第二刺激付与部との一方を固定しており、
前記美容器具は、前記第一刺激付与部と前記第二刺激付与部との他方を、前記一方に対して出没させる出没機構を備える
請求項１〜４のいずれか一項に記載の美容器具。
【請求項６】
前記ハウジングは、前記第一刺激付与部を保持する第一保持部と、前記第一保持部に対して着脱自在であり、前記第二刺激付与部を保持する第二保持部とを備える
請求項１〜５のいずれか一項に記載の美容器具。
【請求項７】
前記第二保持部は、前記第一刺激付与部を囲むように環状に形成されているとともに、当該第二保持部の縁部の一部が平坦状に形成されている
請求項６に記載の美容器具。
【請求項８】
さらに、前記第二刺激付与部に電力を供給するための端子部を備え、
前記第二刺激付与部と前記端子部とは、複数箇所で電気的に接続されている
請求項６または７に記載の美容器具。
【請求項９】
さらに、前記肌を表面から加温するヒータを備える
請求項１〜８のいずれか一項に記載の美容器具。
【発明の詳細な説明】
【技術分野】
【０００１】
本発明は、肌に対して用いられる美容器具に関する。
【背景技術】
【０００２】
従来、美容器具においては、例えば超音波を肌に付与することで、美肌効果を得ることができる美容器具が知られている（例えば特許文献１参照）。
【先行技術文献】
【特許文献】
【０００３】
【特許文献１】特許第４４１６０２８号公報
【発明の概要】
【発明が解決しようとする課題】
【０００４】
近年においては、より美肌効果の高い美容器具が求められている。
【０００５】
そこで、本発明は、肌に対して異なる種類の刺激を付与することで、より美肌効果を高めることのできる美容器具を提供することを目的とする。
【課題を解決するための手段】
【０００６】
上記目的を達成するため、本発明の一態様に係る美容器具は、第一の刺激を肌に付与する第一刺激付与部と、ＲＦ（Ｒａｄｉｏ  Ｆｒｅｑｕｅｎｃｙの略）を起因とした刺激であって、第一の刺激とは種類の異なる第二の刺激を肌に付与する第二刺激付与部と、第一刺激付与部の近傍に第二刺激付与部が配置されるように、第一刺激付与部と第二刺激付与部とを保持するハウジングとを備える。
【発明の効果】
【０００７】
本発明によれば、肌に対して異なる種類の刺激を付与することができ、より美肌効果を高めることができる美容器具を提供することができる。
【図面の簡単な説明】
【０００８】
【図１】図１は、実施の形態に係る美容器具の概略構成を示す平面図である。
【図２】図２は、実施の形態に係る美容器具の概略構成を示す断面図である。
【図３】図３は、実施の形態に係るヘッド部の概略構成を示す平面図である。
【図４】図４は、実施の形態に係るヘッド部の概略構成を示す断面図である。
【図５】図５は、実施の形態に係る第二保持部と、第二刺激付与部との概略構成を示す斜視図である。
【図６】図６は、実施の形態に係る第二保持部の一部を取り外した状態を示す斜視図である。
【図７】図７は、実施の形態に係る端子部の概略構成を示す斜視図である。
【図８】図８は、実施の形態に係る導電板の概略構成を示す斜視図である。
【図９】図９は、実施の形態に係るプローブヘッドの突出部を肌に押し当てた状態を示す断面図である。
【図１０】図１０は、肌の皮膚温度と、皮膚インピーダンスとの関係を示すグラフである。
【図１１】図１１は、平坦部の有無により、肌の引き上げ感の評価結果を示すグラフである。
【図１２】図１２は、変形例に係るＲＦ電極のレイアウトの例を示す説明図である。
【図１３】図１３は、使用者が温かさを感じるまでの時間と、ＲＦ電極のＷ密度との関係を示すグラフである。
【図１４】図１４は、使用者が温かさを感じるまでの時間と、電極数との関係を示すグラフである。
【発明を実施するための形態】
【０００９】
以下では、本発明の実施の形態に係る美容器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
［美容器具］
まず、実施の形態に係る美容器具１０について説明する。図１は、実施の形態に係る美容器具１０の概略構成を示す平面図である。図２は、実施の形態に係る美容器具１０の概略構成を示す断面図である。具体的には、図２は、図１におけるＩＩ−ＩＩ切断線を含む切断面を見た断面図である。
【００１２】
図１及び図２に示すように、美容器具１０は、外装体である長尺なハウジング２０を備えており、そのハウジング２０の一端部が、肌Ｓ（図９参照）に対して刺激を付与するヘッド部３０となっている。また、ハウジング２０におけるヘッド部３０以外の部分は、使用者により把握される把握部４０であり、ヘッド部３０よりも細く形成されている。把握部４０には、電源のＯＮ／ＯＦＦを切り替えるための電源ボタン４１と、美容器具１０の動作モードを選択するための選択ボタン４２と、電源ＯＮ時に点灯し、ＯＦＦ時に消灯する点灯部４３とが設けられている。
【００１３】
また、図２に示すように、把握部４０内には、回路基板４４、電池４５などが収容されている。回路基板４４には、ヘッド部３０の駆動部を駆動するための複数の回路部品４６が実装されている。複数の回路部品４６には、ヘッド部３０の駆動部を制御するマイコンが含まれている。また、複数の回路部品４６には、一対のスイッチ素子が含まれている。一対のスイッチ素子のうち、一方のスイッチ素子は、電源ＯＮ／ＯＦＦ用であり、電源ボタン４１が押下されることで、電池４５からの電力供給のＯＮ／ＯＦＦを切り替える。また、他方のスイッチ素子は、動作モード選択用であり、選択ボタン４２が押下されることで、各動作モードに応じた制御信号をマイコンに出力する。
【００１４】
図３は、実施の形態に係るヘッド部３０の概略構成を示す平面図である。図４は、実施の形態に係るヘッド部３０の概略構成を示す断面図である。具体的には、図４は、図３におけるＩＶ−ＩＶ切断線を含む切断面を見た断面図である。
【００１５】
図３及び図４に示すように、ヘッド部３０は、第一刺激付与部５０と、第二刺激付与部６０と、第一保持部７０と、第二保持部８０と、出没機構９０と、端子部１００とを備えている。第一保持部７０と第二保持部８０とは、第一刺激付与部５０の近傍に第二刺激付与部６０が配置されるように、第一刺激付与部５０と第二刺激付与部６０とを保持している。これにより、第一刺激付与部５０と第二刺激付与部６０とが、使用者の肌Ｓに対して同時に接触可能となっている。
【００１６】
第一刺激付与部５０は、第一の刺激を肌Ｓに付与する部位である。第一の刺激としては、超音波振動刺激や、電気刺激（例えばＥＭＳ（Electrical Muscle Stimulation）など）、温熱刺激、光刺激等が挙げられる。本実施の形態では、第一の刺激の一例として超音波振動刺激を挙げて説明する。
【００１７】
第一刺激付与部５０は、プローブヘッド５１と、プローブヘッド５１を振動させる振動子５２とを備えている。プローブヘッド５１は、肌Ｓに接触して、振動子５２による振動を当該肌Ｓに伝達する金属体である。プローブヘッド５１は、ヘッド部３０から露出した部分が円板状に突出している。この突出部５１１の表面は、酸化皮膜５１２となっている。例えば、本実施の形態では、プローブヘッド５１をアルミニウムによって成形した後に、突出部５１１に対してアルマイト加工を施すことで、酸化アルミニウムからなる酸化皮膜５１２を生成している。なお、プローブヘッド５１の表面の全体を酸化皮膜５１２としてもよい。
【００１８】
また、プローブヘッド５１における突出部５１１の反対側には円形状に立設した周壁５１３が形成されている。この周壁５１３の外周面には、シート状のヒータ５３が全周にわたって取り付けられている。ヒータ５３は、プローブヘッド５１を加温することで、当該プローブヘッド５１を介して肌Ｓを加温する。ヒータ５３は、マイコンに電気的に接続されており、当該マイコンの制御によって、温度が調整されるようになっている。
【００１９】
振動子５２は、超音波の周波数帯で振動することで、プローブヘッド５１を振動させて、当該プローブヘッド５１に接触した肌Ｓに超音波振動刺激を付与する振動子である。具体的には、振動子５２は、圧電素子であり、周壁５１３に囲まれた領域内で、プローブヘッド５１に固定されている。振動子５２は、マイコンの制御によって振動が制御されるようになっている。
【００２０】
第一保持部７０は、第一刺激付与部５０を保持する樹脂部材である。具体的には、第一保持部７０は、例えば略筒状に形成されており、一端部からプローブヘッド５１の突出部５１１が外方に向けて突出するように、当該突出部５１１の外周縁に対して取り付けられている。この第一保持部７０は、出没機構９０に連結されている。
【００２１】
出没機構９０は、第一保持部７０をヘッド部３０に対して出没させることで、第一刺激付与部５０を第二刺激付与部６０に対して出没させる機構である。具体的には、出没機構９０は、基台９１と、連結部９２と、弾性部材９３とを備えている。
【００２２】
基台９１は、ヘッド部３０の一部を構成する樹脂部材であり、略カップ状に形成されている。この基台９１に対して、連結部９２が相対的に移動するようになっている。具体的には、基台９１の中央には貫通孔９１１が形成されており、この貫通孔９１１の周囲には、当該貫通孔９１１と同心円状の筒状部９１２が形成されている。筒状部９１２には、弾性部材９３が収容される収容溝９１３が形成されている。収容溝９１３は、貫通孔９１１と同心円状に形成されている。また、基台９１の外周部には、複数の取付孔９１４が形成されている。この複数の取付孔９１４には、端子部１００に備わる複数の電極ピン１０１が個別に取り付けられている。
【００２３】
連結部９２は、第一保持部７０に連結された樹脂部材である。連結部９２は、第一保持部７０に嵌合する嵌合部９２１と、嵌合部９２１から突出して、基台９１の貫通孔９１１内に挿通される軸部９２２とを備えている。
【００２４】
弾性部材９３は、弾性変形された際に連結部９２に対してヘッド部３０の外方に向かう付勢力を付与する弾性部材である。具体的には、弾性部材９３はコイルバネであり、一端部が収容溝９１３内に固定され、他端部が連結部９２の嵌合部９２１に固定されている。つまり、弾性部材９３は、収容溝９１３に収容された状態で弾性変形／弾性復帰をして伸縮するようになっている。なお、弾性部材９３は、コイルバネ以外のバネであってもよいし、ゴムなどの弾性体であってもよい。また、出没機構９０による出没動作については、後述する。
【００２５】
図５は、実施の形態に係る第二保持部８０と、第二刺激付与部６０との概略構成を示す斜視図である。図６は、実施の形態に係る第二保持部８０の一部を取り外した状態を示す斜視図である。
【００２６】
図４〜図６に示すように、第二保持部８０には、第二刺激付与部６０が一体的に組み付けられており、この組み付けられた状態で、第二保持部８０が第一保持部７０から着脱可能となっている。具体的には、第二保持部８０は、第一保持部７０の基台９１に対して着脱可能となっている。
【００２７】
第二刺激付与部６０は、Ｒａｄｉｏ Ｆｒｅｑｕｅｎｃｙ（以下、「ＲＦ」と表記）を起因とした刺激であって、第一の刺激とは種類の異なる第二の刺激を肌Ｓに付与する部位である。第二の刺激としては、ＲＦで肌Ｓの表面乃至内部に電界または磁界を発生させることにより当該肌Ｓの深部を加温するための刺激などが挙げられる。本実施の形態では、第二の刺激の一例として、ＲＦによる電界を起因とした刺激を挙げて説明する。
【００２８】
具体的には、第二刺激付与部６０は、環状に形成されたＲＦ電極６１を備えている。ＲＦ電極６１は導電性を有する金属により形成されている。例えば、本実施の形態では、ＲＦ電極６１は、チタンにより形成されている。ＲＦ電極６１には、第二保持部８０から突出した複数の突起６２が形成されている。この複数の突起６２は、周方向に等間隔で配置されている。本実施の形態では、図３に示すように、第二保持部８０から露出した部分の形状が平面視矩形状となる突起６２が４つ設けられている場合を例示しているが、突起６２の形状及び設置個数は如何様でもよい。
【００２９】
図４〜図６に示すように、ＲＦ電極６１における突起６２に対向する箇所には、当該突起６２とは反対側に向けて延設された係止片６３が形成されている。このため、ＲＦ電極６１には、複数の突起６２と同数の係止片６３が備えられている。係止片６３は、先端部が屈曲した板バネ状に形成されており、この係止片６３の先端部に対して、端子部１００の電極ピン１０１が係止される。
【００３０】
なお、第二刺激付与部６０がＲＦによる電界を起因とした刺激を付与する場合においては、ＲＦ電極６１とは極性の異なるその他のＲＦ電極が必要となる。本実施の形態では、第一刺激付与部５０のプローブヘッド５１がその他のＲＦ電極を兼ねている。これにより、ヘッド部３０の全体としては、極性の異なる一対のＲＦ電極（ＲＦ電極６１及びプローブヘッド５１）が備わっている。
【００３１】
ここで、ＲＦとしては、１０ｋＨｚ以上１００ＧＨｚ以下の周波数帯の電磁波であればよい。さらに美容効果の観点からは、ＲＦは、０．３ＭＨｚ以上５０ＭＨｚ以下の周波数帯の電磁波、または電流であることが望ましい。なお、本実施の形態では、酸化皮膜５１２を備えたアルミ製のプローブヘッド５１に対して好適な、約１ＭＨｚの電流をＲＦとして採用している。
【００３２】
第二保持部８０は、第一保持部７０に対して着脱自在であり、第二刺激付与部６０を保持する部材である。具体的には、第二保持部８０は、全体として環状の外形をなしており、その開口部内に第一刺激付与部５０が配置されている。第二保持部８０は、フレーム８１と、カバー８２とを備えている。フレーム８１は、環状に形成された樹脂部材であり、第二刺激付与部６０のＲＦ電極６１を保持している。フレーム８１には、ＲＦ電極６１の各係止片６３まで、端子部１００の電極ピン１０１を案内する案内経路８１１が形成されている。カバー８２は環状に形成された樹脂部材であり、フレーム８１に取り付けられることで、ＲＦ電極６１の突起６２を個別に露出させた状態で、ＲＦ電極６１のその他の部分を覆っている。また、カバー８２の縁部の一部は、平坦状に形成されている。当該部分を平坦部８２１と称す。平坦部８２１は、ハウジング２０の先端部分に位置しており、当該ハウジング２０の長手方向に対して直交する方向に延設されている。例えば、カバー８２の開口部分が円形状である場合には、平坦部８２１は、開口部分の接線に略平行な平坦状に形成されている。これにより、カバー８２における平坦部８２１は、当該カバー８２におけるその他の部分よりも、第一刺激付与部５０及び第二刺激付与部６０に対して近く配置されることになる。具体的には、図３に示すように、平坦部８２１は、全体として、第一刺激付与部５０のプローブヘッド５１に対向している。また、平坦部８２１の両端部には、第二刺激付与部６０の２つの突起６２が対向している。
【００３３】
図７は、実施の形態に係る端子部１００の概略構成を示す斜視図である。
【００３４】
図４及び図７に示すように、端子部１００は、第二刺激付与部６０が電気的に接続されることで、当該第二刺激付与部６０に電力を供給するための部位である。具体的には、端子部１００は、複数の電極ピン１０１と、導電板１０２と、ブラケット１０３とを備えている。
【００３５】
電極ピン１０１は、円柱状に形成されており、その先端部が略球状に形成されている。電極ピン１０１は、基台９１の取付孔９１４から先端部が突出した状態となっている。この電極ピン１０１の先端部に対して、ＲＦ電極６１の係止片６３が係止することで、第二保持部８０が第一保持部７０に取り付けられた状態となる（図４参照）。この状態では、ＲＦ電極６１と電極ピン１０１とが導通している。
【００３６】
一方、第一保持部７０から離れる方向に第二保持部８０を引っ張ると、電極ピン１０１の先端部と係止片６３との係止が解除されて、第二保持部８０が第一保持部７０から外れた状態となる（図５参照）。この状態では、ＲＦ電極６１と電極ピン１０１とが非導通となっている。
【００３７】
図８は、実施の形態に係る導電板１０２の概略構成を示す斜視図である。図８は、図７とは異なる方向から導電板１０２を見た場合の斜視図である。図８に示すように、導電板１０２は、略Ｃ字状に形成された導電性を有する金属板である。導電板１０２の一端部には、外方に突出した舌部１０２１が形成されている。この舌部１０２１は、図示しない配線を介して電力供給用の回路部品４６に電気的に接続されている。また、導電板１０２のＣ字状部分には、複数の電極ピン１０１が個別に接続される複数の接続孔１０２２が形成されている。接続孔１０２２に電極ピン１０１が接続されると、導電板１０２と電極ピン１０１とが電気的に接続される。前述したように、複数の電極ピン１０１は、それぞれ第二刺激付与部６０のＲＦ電極６１に対して電気的に接続されるので、これらの電極ピン１０１を介して導電板１０２とＲＦ電極６１とが導通することになる。つまり、端子部１００と第二刺激付与部６０とは複数箇所で電気的に接続されるため、万が一、一つの電極ピン１０１が破損して非導通な状態になったとしても、その他の電極ピン１０１により導通状態を維持することができる。
【００３８】
図７に示すように、ブラケット１０３は、複数の電極ピン１０１と、導電板１０２とを保持する部材である。ブラケット１０３は、環状に形成されており、その開口部内に出没機構９０の一部が配置されている（図４参照）。ブラケット１０３は、ハウジング２０内に固定されている。
【００３９】
［動作］
次に、美容器具１０の動作について説明する。
【００４０】
まず、使用者は、施術対象となる肌Ｓ及び美容器具１０のプローブヘッド５１の少なくとも一方に対して、水分を含んだ化粧品や、施術用のジェルを塗布する。その後、使用者が電源ボタン４１を操作すると、美容器具１０では電源がＯＮ状態となる。次いで、使用者が選択ボタン４２を操作すると、マイコンは、使用者が所望する動作モードで各駆動部を制御する。具体的には、マイコンは、振動子５２を制御してプローブヘッド５１に対して所定の超音波振動を付与する。また、マイコンは、プローブヘッド５１及びＲＦ電極６１に対して、ＲＦを発生させる周波数帯の電圧を供給する。また、マイコンは、ヒータ５３を制御して、当該ヒータ５３を所定の温度に加温する。
【００４１】
そして、電源投入直後においては、図４に示すように、出没機構９０の弾性部材９３が伸長した状態であり、プローブヘッド５１の突出部５１１がヘッド部３０から突出している。その後、使用者は、プローブヘッド５１の突出部５１１を肌Ｓに押し当てる。
【００４２】
図９は、実施の形態に係るプローブヘッド５１の突出部５１１を肌Ｓに押し当てた状態を示す断面図である。具体的には図９は図４に対応する図である。また、図９では、肌Ｓの外形線を二点鎖線で図示している。
【００４３】
図４に示す状態からプローブヘッド５１の突出部５１１を肌Ｓに押し当てると、当該プローブヘッド５１がヘッド部３０に対して沈降して、図９に示すように弾性部材９３が収縮する。この状態では、プローブヘッド５１がヘッド部３０内に隠れている。これにより、肌Ｓには、プローブヘッド５１の突出部５１１と、ＲＦ電極６１の突起６２とが密着する。このとき、肌Ｓに対しては、３つの刺激が付与されている。
【００４４】
各刺激について具体的に説明する。
【００４５】
まず、第一の刺激は、振動子５２を起因とした超音波振動である。振動子５２で発生した超音波振動は、プローブヘッド５１を介して肌Ｓに付与される。超音波振動を肌Ｓに与えることにより、肌Ｓ内部の水分の分布が均一化され、肌Ｓにハリを与えることができる。
【００４６】
次に、第二の刺激は、一対のＲＦ電極（プローブヘッド５１及びＲＦ電極６１）を起因としたＲＦである。プローブヘッド５１及びＲＦ電極６１の両者は、ＲＦを発生させる周波数帯の電圧が印加された状態で、肌Ｓに接触すると、肌Ｓの特定部位に電界を発生させて、当該部分に電流によるジュール熱を発生させる。このように、肌Ｓの特定部位が加温されると、血行の促進や、遺伝子発現の作用による肌Ｓの活性化を促すことができる。
【００４７】
そして、第三の刺激は、ヒータ５３を起因とした熱である。ヒータ５３が加温されると、当該ヒータ５３に接触したプローブヘッド５１も加温される。これにより、プローブヘッド５１から肌Ｓに熱が伝わり、肌Ｓが温められる。
【００４８】
図１０は、肌Ｓの皮膚温度と、皮膚インピーダンスとの関係を示すグラフである。図１０に示すように、皮膚温度が高くなると、皮膚インピーダンスは減少する傾向を示している。つまり、皮膚温度が高くなることにより、肌Ｓ内では電流が流れやすくなるので、ＲＦによる電界を肌Ｓ内に発生しやすく、電流が流れやすくなる。したがって、肌Ｓの深部をより温めやすくなり、ＲＦによる加温効果を高めることができる。
【００４９】
そして、使用者は、プローブヘッド５１を肌Ｓに押し当てた状態で、プローブヘッド５１が肌Ｓ上を滑るように美容器具１０を移動させる。このとき、平坦部８２１を進行方向に向けて美容器具１０を移動させれば、使用者は、より高い引き上げ感を得ることになる。
【００５０】
図１１は、平坦部８２１の有無により、肌Ｓの引き上げ感の評価結果を示すグラフである。平坦部８２１がない場合では、カバー８２の縁部の全体を平面視で円形としている。引き上げ感は、各使用者が５段階評価（１は「良くない」。５は「良い」。）で判断し、その平均値を示している。図１１に示すように、平坦部８２１がある場合の方が、ない場合よりも、引き上げ感の評価が１０％以上、向上していることがわかる。また、平坦部８２１は、カバー８２におけるその他の部分よりも、第一刺激付与部５０のプローブヘッド５１及び第二刺激付与部６０の突起６２が近くに配置されているので、プローブヘッド５１及び突起６２を、使用者が意図した箇所に当てやすい。
【００５１】
その後、使用者の操作によって、図９の状態からプローブヘッド５１に対する肌Ｓの接触が解除されると、図４に示すように弾性部材９３が伸長するように弾性復帰して、プローブヘッド５１が元の位置に復帰する。この状態では、プローブヘッド５１がヘッド部３０から突出している。このように、出没機構９０によって、プローブヘッド５１がヘッド部３０に対して出没可能となっている。
【００５２】
［効果など］
以上のように、本実施の形態に係る美容器具１０は、第一の刺激を肌Ｓに付与する第一刺激付与部５０と、ＲＦを起因とした刺激であって、第一の刺激とは種類の異なる第二の刺激を肌Ｓに付与する第二刺激付与部６０と、第一刺激付与部５０の近傍に第二刺激付与部６０が配置されるように、第一刺激付与部５０と第二刺激付与部６０とを保持するハウジング２０とを備えている。
【００５３】
これによれば、ハウジング２０によって第一刺激付与部５０の近傍に第二刺激付与部６０が配置されているので、第一の刺激と、第二の刺激とを同時に肌Ｓに付与することができる。これにより、肌Ｓに対して異なる種類の刺激を付与することができ、より美肌効果を高めることができる。
【００５４】
また、第二刺激付与部６０は、一対のＲＦ電極のうち一方のＲＦ電極６１を含み、第一刺激付与部５０は、一対のＲＦ電極のうち他方のＲＦ電極を兼ねる。
【００５５】
これによれば、第二刺激付与部６０が一対のＲＦ電極のうち一方のＲＦ電極６１を含み、第一刺激付与部５０が一対のＲＦ電極のうち他方のＲＦ電極を兼ねているので、これら一対のＲＦ電極によって、肌Ｓの深部に電界を発生させて電流によるジュール熱を発生させることができる。
【００５６】
また、第一刺激付与部５０が他方のＲＦ電極を兼ねているので、一対のＲＦ電極のそれぞれを専用の部材とした場合よりも、部品点数を削減して、ヘッド部３０をコンパクトにすることができる。ヘッド部３０がコンパクトになれば、施術時の操作性も向上する。
【００５７】
また、一対のＲＦ電極の少なくとも一方（プローブヘッド５１）は、表面に酸化皮膜５１２を有する金属体であり、一対のＲＦ電極は、０．３ＭＨｚ以上の周波数帯の電圧が供給される。
【００５８】
これによれば、一対のＲＦ電極の少なくとも一方（プローブヘッド５１）が、表面に酸化皮膜５１２を有しているので、プローブヘッド５１が錆びることを抑制することが可能である。また、一対のＲＦ電極は、０．３ＭＨｚ以上の周波数帯の電圧が供給されているので、酸化皮膜５１２があったとしても、一対のＲＦ電極を導通させることが可能である。
【００５９】
また、ハウジング２０は、第一刺激付与部５０と第二刺激付与部６０との一方を固定しており、美容器具１０は、第一刺激付与部５０と第二刺激付与部６０との他方を、前記一方に対して出没させる出没機構９０を備えている。
【００６０】
これによれば、第一刺激付与部５０と第二刺激付与部６０とのうち、固定された一方に対して、他方が出没されるので、第一刺激付与部５０と第二刺激付与部６０との両者において、肌Ｓに対する密着性を確保することができる。これにより、施術時には、第一の刺激と、第二の刺激とが確実に肌Ｓに作用することなり、美肌効果をより高めることができる。
【００６１】
また、ハウジング２０は、第一刺激付与部５０を保持する第一保持部７０と、第一保持部７０に対して着脱自在であり、第二刺激付与部６０を保持する第二保持部８０とを備えている。
【００６２】
ここで、施術時においては水分を含んだ化粧品やジェル等が用いられるため、施術後には第一刺激付与部５０及び第二刺激付与部６０を掃除する必要もある。化粧品やジェル等は、細かな隙間にも侵入してしまうので、掃除も煩雑となるが、第二保持部８０が第一保持部７０に対して着脱自在であれば、第一刺激付与部５０及び第二刺激付与部６０の掃除を容易に行うことが可能となる。また、第二保持部８０が第一保持部７０に対して着脱自在であるので、交換作業等も容易に行うことができる。
【００６３】
また、第二保持部８０は、第一刺激付与部５０を囲むように環状に形成されているとともに、当該第二保持部８０の縁部の一部が平坦状に形成されている。
【００６４】
これによれば、第二保持部８０の縁部の一部が平坦状に形成されているので、肌Ｓに対する引き上げ感を高めることができる。
【００６５】
また、美容器具１０は、さらに、第二刺激付与部６０に電力を供給するための端子部１００を備え、第二刺激付与部６０と端子部１００とは、複数箇所で電気的に接続されている。
【００６６】
これによれば、端子部１００と第二刺激付与部６０とが複数箇所で電気的に接続されているので、万が一、一つの接続箇所が非導通な状態になったとしても、その他の接続箇所により導通状態を維持することができる。
【００６７】
また、美容器具１０は、さらに、肌Ｓを表面から加温するヒータ５３を備えている。
【００６８】
これによれば、ヒータ５３によって肌Ｓを表面から加温することができる。肌Ｓの皮膚温度が高くなることにより、肌Ｓ内では電流が流れやすくなるので、ＲＦによる電界を肌Ｓの内部に発生しやすくできる。したがって、肌Ｓの内部をより温めやすくなり、ＲＦによる加温効果を高めることができる。
【００６９】
［変形例］
上記実施の形態では、プローブヘッド５１の突出部５１１の周囲に、ＲＦ電極６１の４つの突起６２が等間隔で配置されている場合を例示した。しかし、ＲＦ電極の形状及びレイアウトは、プローブヘッド５１の突出部５１１の近傍にＲＦ電極の突起が配置されているのであれば、如何様でもよい。ここでは、ＲＦ電極のレイアウトのその他の例について説明する。
【００７０】
図１２は、変形例に係るＲＦ電極のレイアウトの例を示す説明図である。図１２の（ａ）に示すレイアウトでは、プローブヘッド５１の突出部５１１の近傍に、ＲＦ電極１６０ａの二重の弧状の突起１６１ａ、１６２ａが配置されている。二重の弧状の突起１６１ａ、１６２ａは、突出部５１１の外周縁に沿った曲線となっている。
【００７１】
図１２の（ｂ）に示すレイアウトでは、プローブヘッド５１の突出部５１１の近傍に、ＲＦ電極１６０ｂの二重の直線状の突起１６１ｂ、１６２ｂが配置されている。二重の直線状の突起１６１ｂ、１６２ｂは、突出部５１１の外周縁に沿った直線となっている。
【００７２】
図１２の（ｃ）に示すレイアウトでは、プローブヘッド５１の突出部５１１の近傍に、ＲＦ電極１６０ｃの二重の直線状の突起１６１ｃ、１６２ｃが二組配置されている。各組の二重の直線状の突起１６１ｃ、１６２ｃは、突出部５１１の外周縁に沿った直線となっている。
【００７３】
図１２の（ｄ）に示すレイアウトでは、プローブヘッド５１の突出部５１１の近傍に、ＲＦ電極１６０ｄの二重の直線状の突起１６１ｄ、１６２ｄが二組配置されている。各組の二重の直線状の突起１６１ｄ、１６２ｄは、突出部５１１の外周縁に対して交差する方向に沿う直線となっている。
【００７４】
図１２の（ｅ）に示すレイアウトでは、プローブヘッド５１の突出部５１１の近傍に、ＲＦ電極１６０ｄの弧状の突起１６１ｅが配置されている。突起１６１ｅは、突出部５１１の大部分を囲んだ弧状に形成されている。
【００７５】
図１２の（ｆ）に示すレイアウトでは、プローブヘッド５１の突出部５１１の近傍に、ＲＦ電極１６０ｆの二重の弧状の突起１６１ｆ、１６２ｆが配置されている。二重の弧状の突起１６１ｆ、１６２ｆは、突出部５１１の大部分を囲んだ弧状に形成されている。
【００７６】
図１２の（ｇ）に示すレイアウトでは、プローブヘッド５１の突出部５１１の近傍に、ＲＦ電極１６０ｇの弧状の一対の突起１６１ｇ、１６２ｇが配置されている。一対の突起１６１ｇ、１６２ｇは、突出部５１１を挟んで対向している。
【００７７】
図１２の（ｈ）に示すレイアウトでは、プローブヘッド５１の突出部５１１の近傍に、ＲＦ電極１６０ｈの二重の弧状の突起１６１ｈ、１６２ｈが二組配置されている。二重の弧状の突起１６１ｈ、１６２ｈは、各組が突出部５１１を挟んで対向している。
【００７８】
上記の各変形例においては、プローブヘッド５１がＲＦ電極を兼ねているものとする。なお、一対のＲＦ電極の専用部材が、各複数の突起を形成していてもよい。この場合、第二刺激付与部が一対のＲＦ電極を含むこととなる。これら一対のＲＦ電極によって、肌Ｓの内部に電界を発生させて、電流によるジュール熱を発生させることができる。また、この場合においては、プローブヘッド５１を、超音波振動用の専用部材とすることも可能である。
【００７９】
図１３は、使用者が温かさを感じるまでの時間と、ＲＦ電極のＷ密度との関係を示すグラフである。具体的には、電力を一定とした状態でＲＦ電極のＷ密度を変化させて、使用者が温かさを感じるまでの時間を測定した。その結果を図１３のグラフで表している。図１３に示すように、Ｗ密度が約３Ｗ／ｃｍ２未満までは、温かさを感じるまでの時間は大きく減少しているが、それ以降の変化は滑らかになっている。このため、ＲＦ電極のＷ密度は約３Ｗ／ｃｍ２以上とすればよい。
【００８０】
図１４は、使用者が温かさを感じるまでの時間と、電極数との関係を示すグラフである。具体的には、ＲＦ電極における肌Ｓに接触する全体の露出面積を一定とし、電極数（ＲＦ電極の突起の数）を変化させる。つまり、電極数が多くなると、一つのＲＦ電極における肌Ｓに接触する面積は小さくなる。そして、各電極数において、使用者が温かさを感じるまでの時間を測定した。その結果を図１４のグラフで表している。図１４に示すように、電極数が４個である場合に、温かさを感じるまでの時間がより早くなっている。このため、電極数は４個とすればよい。これら図１３、図１４に示した関係性を考慮して、ＲＦ電極のレイアウトや形状、材質等を検討することが望まれる。
【００８１】
［その他］
以上、本発明に係る美容器具について、上記実施の形態及び変形例に基づいて説明したが、本発明は、上記実施の形態及び変形例に限定されるものではない。
【００８２】
例えば、上記実施の形態では、一対のＲＦ電極の一方を兼ねるプローブヘッド５１が、アルミニウムから形成されている場合を例示したが、プローブヘッド５１は、その他の金属から形成されていてもよい。その他の金属としては、ステンレス鋼、チタンなどが挙げられる。その他の金属を用いる場合においても、その表面に酸化皮膜を生成しておくことがよい。なお、本実施の形態では、第一刺激付与部５０のプローブヘッド５１が、一対のＲＦ電極の一方を兼ねている場合を例示したが、ＲＦ電極となる専用部材を設けることも可能である。ＲＦ電極となる専用部材を用いる場合においても、その表面に酸化皮膜を生成しておくことがよい。酸化皮膜が設けられることで導電性は低下するが、一対のＲＦ電極に供給される電圧の周波数帯を０．３ＭＨｚ以上としておけば、酸化皮膜があったとしても一定の導電性を確保することができる。
【００８３】
また、上記実施の形態では、一対のＲＦ電極によって肌Ｓの表面から内部に電界を発生させて、電流によるジュール熱を発生させる場合を例示して説明した。しかしながら、第二刺激付与部は、一つのＲＦ電極で肌Ｓに磁界を発生させることで、当該磁界によって肌Ｓに温熱作用や、血行促進作用を付与することも可能である。つまり、この場合における第二の刺激は、磁界を起因とする。
【００８４】
また、上記実施の形態では、一対のＲＦ電極のうち、一方のＲＦ電極（プローブヘッド５１）が酸化皮膜５１２を有し、他方のＲＦ電極６１が酸化皮膜を有していない場合を例示したが、他方のＲＦ電極においても酸化皮膜を設けてもよい。これにより、他方のＲＦ電極の耐蝕性を向上させることができる。
【００８５】
また、上記実施の形態では、出没機構９０が、第一刺激付与部５０を第二刺激付与部６０に対して出没させる場合を例示したが、出没機構は第二刺激付与部を第一刺激付与部に対して出没させてもよい。この場合、第一刺激付与部がハウジングに固定することが望ましい。この場合においても、第一刺激付与部と第二刺激付与部との両者において、肌Ｓに対する密着性を確保することができる。
【００８６】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００８７】
本発明は、肌に対して用いられる美容器具に適用可能である。
【符号の説明】
【００８８】
１０  美容器具
２０  ハウジング
３０  ヘッド部
４０  把握部
４１  電源ボタン
４２  選択ボタン
４３  点灯部
４４  回路基板
４５  電池
４６  回路部品
５０  第一刺激付与部
５１  プローブヘッド
５２  振動子
５３  ヒータ
６０  第二刺激付与部
６１、１６０ａ、１６０ｂ、１６０ｃ、１６０ｄ、１６０ｅ、１６０ｆ、１６０ｇ、１６０ｈ  ＲＦ電極
６２、１６１ａ、１６２ａ、１６１ｂ、１６２ｂ、１６１ｃ、１６２ｃ、１６１ｄ、１６２ｄ、１６１ｅ、１６１ｆ、１６２ｆ、１６１ｇ、１６２ｇ、１６１ｈ、１６２ｈ  突起
６３  係止片
７０  第一保持部
８０  第二保持部
８１  フレーム
８２  カバー
９０  出没機構
９１  基台
９２  連結部
９３  弾性部材
１００  端子部
１０１  電極ピン
１０２  導電板
１０３  ブラケット
５１１  突出部
５１２  酸化皮膜
５１３  周壁
８１１  案内経路
８２１  平坦部
９１１  貫通孔
９１２  筒状部
９１３  収容溝
９１４  取付孔
９２１  嵌合部
９２２  軸部
１０２１  舌部
１０２２  接続孔
Ｓ  肌
【図１】
2019000212.tif 000003
【図２】
2019000212.tif 000004
【図３】
2019000212.tif 000005
【図４】
2019000212.tif 000006
【図５】
2019000212.tif 000007
【図６】
2019000212.tif 000008
【図７】
2019000212.tif 000009
【図８】
2019000212.tif 000010
【図９】
2019000212.tif 000011
【図１０】
2019000212.tif 000012
【図１１】
2019000212.tif 000013
【図１２】
2019000212.tif 000014
【図１３】
2019000212.tif 000015
【図１４】
2019000212.tif 000016